(57)【特許請求の範囲】
【請求項１】
関節接合された連結片を有する腕輪であって、
少なくとも３つの縦方向の列の並んだ連結片（２，３，４；２２，２３，２４）を具備し、前記連結片が一方の列から他方の列へと縦方向に千鳥状に配置され、２つの横方向の列の連結片（３，４；２３，２４）が相互に向かい合って位置し、横の連結片（３，４；２３，２４）の各対が中央の列の連結片（２；２２）と共にモジュールユニット（１７；３８）を形成し、これらモジュールユニットが連続するモジュールユニット（１７；３８）の対応部分を相互に貫通する横方向の軸の周りでモジュールユニットを相互に関節接合する機構（５，６，１５ａ，１６ａ；３２，３４，３６，３７）を具備している腕輪において、
中心連結片（２；２２）の対向側面と各モジュールユニット（１７；３８）の横の連結片（３，４；２３，２４）の内側側面とが、連結片（２，３，４；２２，２３，２４）を所定位置で相互に横方向に嵌め合わす手段（７，８，１３；２５〜２８，３１，３３）によって連結され、連続するモジュールユニット（１７；３８）を関節接合する機構（５，６，１５ａ，１６ａ；３２，３４，３６，３７）が、ねじ（１５，１６；３６，３７）と組合わされ前記嵌め合わせ手段（７，８，１３；２５〜２８，３１，３３）を縦方向及び横方向の少なくとも一方の方向にロックし各モジュールユニット（１７；３８）の連結片（２，３，４；２２，２３，２４）が前記所定位置で一方が他方に固定されるようにしていることを特徴とする腕輪。
【請求項２】
相互に嵌め合わされた３つの連結片（２，３，４；２２，２３，２４）をロックする前記機構（１５，１６；３６，３７）が、２つの横の連結片（３，４；２３，２４）から縦方向に突出する中心連結片（２；２２）の横方向の末端に設けられた１つの開口（１４；３５）と、横の連結片の縦方向の延長部を形成する２つの中間要素（９，１０；２７，２８）の各末端を貫通する２つの他の開口（１１，１２；２９，３０）とからなる３つの開口（１１，１２，１４；２９，３０，３５）を具備し、中間要素（９，１０；２７，２８）の延長部の嵌め合わせ位置の横方向の寸法が、連続するモジュールユニット（１７；３８）の２つの横の連結片（３，４；２３，２４）の間の間隙に等しく、ロック機構（１５，１６；３６，３７）が、前記開口（１１，１２，１４；２９，３０，３５）と、ロック機構（１５，１６；３６，３７）と相互依存の関節接合機構（５，６，１５ａ，１６ａ；３２，３４，３６，３７）とをそれぞれ関節接合軸と同軸の円筒形の相補的な表面を有する前記横の連結片（３，４；２３，２４）から、軸方向に接合し一方を他方に嵌め合わすように位置されていることを特徴とする請求項１に記載の腕輪。
【請求項３】
中心連結片（２；２２）に設けられた前記開口（１４；３５）がねじを具備し、一方において両方の横の連結片（３，４；２３，２４）を縦方向に延長する中間要素（９，１０；２７，２８）を貫通して設けられた２つの開口（１１，１２；２９，３０）の外側側面が、前記中心連結片（２；２２）の各側の前記ねじに各々が螺合される２つのねじ（１５，１６；３６，３７）の各頭部を受け入れる形状とされ、前記２つのねじ（１５，１６；３６，３７）がモジュールユニット（１７；３８）の３つの連結片（２，３，４；２２，２３，２４）の前記ロック手段を構成していることを特徴とする請求項２に記載の腕輪。
【請求項４】
円筒形の凹所（１５ａ，１６ａ）が各ロックねじ（１５，１６）の頭部に設けられ、横の連結片（３，４）の内側側面と相互依存の桿（５，６）を受け入れるようにしていることを特徴とする請求項３に記載の腕輪。
【請求項５】
ロックねじ（３６，３７）の頭部が前記中心連結片（２２）から突出する円筒形部分を具備し、これに対し横の連結片（２３，２４）が前記円筒形部分に係合する円筒形の相補的な空洞（３２，３４）を具備していることを特徴とする請求項３に記載の腕輪。
【請求項６】
２つの横の連結片（２３，２４）と相互依存の延長部を形成しかつ中心連結片（２２）を囲む前記中間要素（２７，２８）が、中心連結片（２２）の各横の側面に形成された摺動溝（２６）に係合される摺動ブロックを形成し、中心連結片（２２）と横の連結片（２３，２４）の各々との間に２つの相対的な縦方向限定位置を区画形成し、各末端部の頭部（２５ｃ，２５ｄ）で終わっている桿（２５）が、中心連結片（２２）と２つの横の連結片（２３，２４）との間で連続する横の側面の対の各々の連続する横の側面の一方から突出し、これに対し連続する側面の対の各々の他方が、開口（３１ａ，３３ａ）を具備し前記頭部（２５ｃ，２５ｄ）を中心連結片（２２）と連続する横の連結片（２３，２４）との間で２つの相対的な縦方向の限定位置の一方の位置で動かしまた前記摺動溝（２７，２８）と前記摺動ブロック（２６）との間の相対運動の行程に一致する距離で頭部（２５ｃ，２５ｄ）を動かすような大きさの凹所（３１，３３）に接近できるようにし、肩部（３１ｂ，３３ｂ）が連結片（２３，２４）の横の側面上の前記凹所（３１，３３）の開口の一部分に形成され、前記頭部（２５ｃ，２５ｄ）を中心連結片（２２）と連続する横の連結片（２３，２４）との間で前記相対的な縦方向限定位置の他方の位置で軸方向に保持し、該他方の位置が前記３つの開口（２９，３０，３２）が軸方向に一線上に並ぶ位置に一致していることを特徴とする請求項２から５のうちの１項に記載の腕輪。
【請求項７】
前記中間要素（９，１０）が各横の連結片（３，４）と相互依存の連結片によって形成されていることを特徴とする請求項２から６のうちの１項に記載の腕輪。
【請求項８】
耐水手段（３９）が設けられ回動表面（５，６，１５ａ，１６ａ）を前記モジュールユニット（１７，３８）の間で保護するようにしていることを特徴とする請求項１から７のうちの１項に記載の腕輪。
【発明の詳細な説明】
【０００１】
【発明の属する技術分野】
本発明は関節接合された連結片を有する腕輪に関し、この腕輪は、少なくとも３つの縦方向の列の並んだ連結片（リンク）を具備し、２つの横方向の列の連結片が相互に向かい合って位置し、各対の横の連結片が中央の列からの連結片と共にモジュールユニット（基準単位体）を形成し、これらの単位体が、材料に貫通孔が形成された連続するモジュールユニットの各対を突き通す横方向の軸の周りで相互間を関節接合する機構を具備している。
【０００２】
【従来の技術】
腕輪を横断して配置された軸の周りで相互に関節接合された複数の連結片によって形成された腕輪は特に腕時計の腕輪にとって長期にわたって知られている。一般に、これら連結片の間の関節接合は横の連結片に押込まれ連結片を中心連結片と共に回動させるピンによって行われる。
【０００３】
これらの腕輪を正しい長さで着用させるため、すなわち着用者の手首に適合できる長さで着用するため、腕輪の末端の近くにある連結片が押込まれたピンでなくねじによって組立てられ余分の連結片を取外しできるようにする。これらのねじは外部から見え腕輪の側面に最も多く現われそのため外観を損なうものとなる。
【０００４】
これら腕輪のもう１つの欠点は修理の場合に生じる困難である。１つの連結片をそれが損傷したため取替えなければならない場合は、押込まれたピンにより相互に組付けられた連結片を容易に分離させることは不可能であり、この作業は適当な工具と修理する者にとって利用することのできない専門技術とによってのみ行うことができ、そのためこの腕輪は製造者に返さなければならず、このため着用者の住んでいる地方によっては長期にわたる遅延をきたすものとなる。
【０００５】
このような腕輪を完全に分解できるようにすることがすでに提案されている。したがって、ヨーロッパ特許第１１８７７４号とスイス特許第６６４４７５号は横方向にねじ込まれ連結片をその間の回動機構と共に保持する固定ねじによって全体が組立てられた関節接合連結片を備えた２つの腕輪に関するものである。このような腕輪はこれを完全に離し任意の連結片に取替えることができるため、問題の一部を解決する。しかし、この固定ねじは腕輪の全長にわたって見え、このため外観を損なう。
【０００６】
ヨーロッパ特許第００８９４２１号、ＷＯ９３／０８７１号及びＷＯ９４／１２０６９号は回動ピン上に自由に係合された関節接合要素によって組立てられた分解可能な関節接合された腕輪に関し、これらの関節接合要素は着用者の腕に面する腕輪の側にねじ込まれる機構によって固定され、それによりこれらのねじが腕輪の着用時に見えないようにしている。これは疑いもなく美感を向上させるものであるが、それでもなお最高級の商品の最も厳しい要求を満たすものではない。実際に、商店のウインドウで又は購入する時に、顧客はまず着用していない腕輪を見てそれにより固定ねじをこれが現われる腕輪の側に見出すようになる。ねじが即座に見えるという事実はこのような腕輪に、機能的な外観が審美上の外観を左右するという特徴をもたらし、これは勿論その完全無欠の外観が良好な製造の証拠であるようなこの型の最高級の商品にとっては適当でない。
【０００７】
スイス特許第５５８１５３号は、連結片の一方の端部で突出しその幅の全部には延出しない横方向の関節接合桿に接合された連結片を具備する関節接合腕輪に関するものである。この関節接合桿は連続する連結片の品質の低い方の側に開口する凹所に導入さればねの取付けられたロック要素によって所定位置に保持される。この場合、ねじはばねに取替えられる。金の腕輪の場合は、このばねは腕輪と同じ金属とすることはほとんどない。さらにまた、それがねじでないとしても、この固定機構は組立てをするため開口を有していなければならず、それにより機能的で非装飾的な特徴を保持し又は単に審美感が腕輪の残部と同じとなるような外観を保持するものとなる。
【０００８】
もう１つの型式の解決策がこの問題を解決するために提案されている。関節接合機構が、腕輪を形成する要素の各々を被覆するある種のスリーブによって形成された連結片の中に配置された、関節接合腕輪が存在する。スイス特許第６５３８７１号とヨーロッパ特許第５４０９７９号にはこのような解決策が開示されている。この型の腕輪では、見える連結片が必然的に腕輪の全幅にわたって延びている。したがって、この解決策は千鳥状に配された連結片の並列した列により形成され特に異色の数個の材料で作られた連結片及び／又は異なった表面仕上げを有する特殊な装飾効果が得られるようにした腕輪には適用できない。
【０００９】
他の解決策がスイス特許第６８８４３０号に提案されており、一方が他方に対し縦方向に千鳥状に配置された異なる幅の３つの部分を具備する連結片を形成することからなっている。狹い中心部分に腕輪の中央軸の一側から他側に延びる中間幅部分が続きまた最後にその幅が腕輪の幅に一致する部分が続いている。各中心部分と各中間幅部分は腕輪において横方向に穴があけられる。連結片の各幅広部分は中間幅に一致する幅の凹所を具備し、また各中間部分は最も狹い中心部分と一致する幅を有する凹所を具備している。これにより、２つの連続する連結片が、一方が他方にうろこ状に重なり連続する連結片の中間部分と中心部分との横方向の同軸開口の中を摺動する留めピンによって一緒に保持されるようになる。この留めピンはこれらの開口を自由に通過するが１つの連結片が配置された瞬間に次の連結片に現実に保持される。実際に、留めピンはこの次の連結片の対応幅の凹所の縁に衝突しそのため実際に停止する。
【００１０】
このような腕輪は完全に分解可能である。一見して数列の千鳥状に配列した連結片で形成されているように見えたとしても、これら２つの列は実際には１つの連結片のみで構成されている。この結果、異なった材料の連結片の列による色の組合せがこの方法では不可能である。
【００１１】
ヨーロッパ特許０３１０５３６号には５つの列の並んだ連結片によって形成された腕輪がすでに提案されており、その２つの横方向の列の少なくとも連結片が他の列の連結片と共に縦方向に千鳥状に配置されている。これら横方向の連結片の各々の内側側面は半分の軸を具備し、この軸の自由の末端部は溝に近接した球状部分として形成された回動頭部で終わっており、前記溝はこの回動頭部を半分の軸の円筒状部分に連結している。この半分の軸は中間連結片を貫通する穴に係合し、回動頭部の末端と溝の主要部分とだけがこの中間連結片の内側側面から突き出ている。
【００１２】
中心連結片は縦方向に延び一端で開いている摺動溝を具備している。この摺動溝の横方向の部分は、相互に向かい合って位置している２つの横方向の連結片の２つの半分の軸の両頭部の形状と一致する球状部分に形成されている。さらに、この摺動溝は、横方向の対向側面に開口しその幅が末端頭部に連続している溝の直径にほぼ一致する２つの縦方向の切込みを具備している。中間及び中心の連結片もまた横方向の穴を具備している。
【００１３】
この腕輪を組立てるため、各半分の軸を中間連結片の穴の１つに係合し次に半分の軸の頭部を中心連結片の摺動溝に係合しなければならない。次にこれらの頭部を中間連結片の第２の穴が中心連結片の穴と同一位置を占めるまで摺動させ、そして組立てられた５つの連結片を保持し連続するモジュールユニットの横方向の連結片を関節接合する軸を中間連結片の穴と中心連結片の穴とを貫通して配置する。このような概念はねじがなく目に見える固着構造のない腕輪を実現することができる。
【００１４】
しかしながら、この腕輪の概念は欠点を有している。特に中間の連結片を欠くことのできない３つの列の連結片のみからなる腕輪を実現することはできない。各連結片は２つの平行な軸の周りに関節接合され、それによりモジュールユニットの連結片が一方を他方に固定することができないようになっている。さらにまた、関節接合要素とねじなしの摺動要素とによる連結片の連結は必然的にある程度の隙間を生じ、これが腕輪に一体的でない外観をもたらし、品質の劣った印象を与え、いわゆる最高級の製品としては受け容れられないものとなる。
【００１５】
【発明が解決しようとする課題】
本発明は上記の解決策の欠点を少なくとも一部解消することを目的とするものである。このため、本発明は請求項１に記載した、前記型式の関節接合された連結片を有する腕輪に関するものである。
【００１６】
【課題を解決するための手段】
本発明によれば、
少なくとも３つの縦方向の列の並んだ連結片を具備し、前記連結片が一方の列から他方の列へと縦方向に千鳥状に配置され、２つの横方向の列の連結片が相互に向かい合って位置し、横の連結片の各対が中央の列の連結片と共にモジュールユニットを形成し、これらモジュールユニットが、連続するモジュールユニットの対応部分を相互に貫通する横方向の軸の周りでモジュールユニットを相互に関節接合する機構を具備している、関節接合された連結片を有する腕輪において、中心連結片の対向側面と各モジュールユニットの横の連結片の内側側面とが、連結片を所定位置で相互に横方向に嵌め合わす手段によって連結され、連続するモジュールユニットを関節接合する機構が、ねじと組合わされ前記嵌め合わせ手段を縦方向及び横方向の少なくとも一方の方向にロックし各モジュールユニットの連結片が前記所定位置で一方が他方に固定されるようにしていることを特徴とする腕輪
が提供される。
【００１７】
異なった列のための連結片の横方向の取付けは全体が分解可能なモジュールユニットによって形成された連結片を有する腕輪を実現し、同一のユニットの取付け連結片は完全に一方が他方と相互に依存し合っている。取付け部（嵌め合わせ部）は連結片の内側側面に配置され見えない。同じことがロック手段についても言え、ロック手段はモジュールユニット関節接合手段に結合され取付け（嵌め合わせ手）手段に連結され、また腕輪の内部に配置することができ、ロック手段はそれ自体が腕輪の内部にある取付け（嵌め合わせ）手段に連結されているため隠すことができる。ロック手段はしたがって２つの連続するモジュールユニットがその一方が他方と関節接合された瞬間に隠れる。その結果、ロック手段は連結片が前後に組立てられる間次第に隠れるようになる。
【００１８】
したがって、腕輪を長くしたり短くしたりすることが、転売者により目に見える痕跡を残さずに任意の場所で困難なしで可能となる。実際に、全ての連結片が連結片の組立てをする手段が腕輪の外から見えないで分解することができる。
【００１９】
嵌め合わせ表面は機械加工され、それにより嵌め合わせが非常に正確に行われる。各連結片は所望の仕上げ状態、最終状態又は中間状態に持って来られ、大きな製造上の融通性をもたらす。損傷した場合は、腕輪の損傷部まで分解しこれを修理し又は取替えるようにすることができる。したがって、腕輪を工場に戻しこの作用を分解不可能な腕輪の場合のように行うことがもはや必要でなくなる。販売後の修理はしたがって、取替えが転売者の場所で行うことができるため簡単化され改善される。
【００２０】
【発明の実施の形態】
他の特徴と利点は、本発明の２つの実施態様と種々の変更例が記載され、添付図面により一例が略図式に示されている以下の記載から明らかとなろう。
【００２１】
図１は腕輪１の一部分と、中心連結片２と２つの横方向の連結片３と４とからなる３つの連結片とを示している。各横の連結片３，４は各回動桿５，６と各取付け（嵌合）表面７，８とを具備している。この取付け（嵌合）表面７，８は、この実例では管状要素を切断して形成され各連結片３，４の内側側面に配設された目に見えない凹所に押込まれ又はろう付けされた中空体によって、形成されている。
【００２２】
嵌合表面７，８を形成する成形本体は各中間要素９，１０を貫通する。成形本体と中間要素との間の嵌合は押込み又はろう付けにより行われる。各中間要素９，１０は腕輪１の縦軸線上で各連結片３，４から縦方向に千鳥状に配置される。各連結片３，４から千鳥状に配置されたこの中間要素９，１０の部分はその軸線が腕輪１からは横方向である各開口１１と１２により貫通されている。
【００２３】
中心連結片２が取付け（嵌合）表面１３を具備し、嵌合表面１３は、腕輪１の軸線に対して横方向でその断面が横方向の連結片３と４からの嵌合表面７と８とに相補的な形状となっている通路によって構成されている。この中心連結片２はまたねじが切られた横断方向の通路１４を具備する。この横断通路１４は実際に中間要素９と１０を貫通する開口１１と１２に整列されている。
【００２４】
２つのねじ１５と１６が各開口１１と１２を通過するようになっておりまた通路１４に螺合する。開口１１と１２は、各ねじ１５，１６の頭部を保持しかつ各中間要素９，１０を中心連結片１２に押しつけるための肩部をそれぞれが有するように形成されており、嵌合表面７と８は中心連結片が貫通する嵌合表面に嵌合される。ねじ１５，１６の頭部はそれぞれ凹所１６ａだけが見える円筒状の凹所１５ａ，１６ａを有し、対応ねじの軸線と同軸となっている。この円筒状凹所の機能は中心連結片２に嵌合された後両方の横の連結片３，４の各回動ピン５，６を受け入れることである。
【００２５】
これらの横の連結片３，４は次にねじ１５と１６によりこの嵌合位置でロックされる。これらの連結片２，３，４が一緒にロックされた瞬間に連結片はモジュールユニット１７を形成し、モジュールユニット１７は円筒状凹所１５ａ，１６ａに回動自在に取付けられた同軸の回動ピン５，６の軸線の周りに関節接合された単なる一部材として作用する。
【００２６】
腕輪の全ての連結片は上記のように一方が他方の後に組立てられ、１つの中心連結片２と２つの横の連結片３，４によって形成されたモジュールユニット１７の各組立体はモジュールユニット１７の間の回動機構として作用するねじ１５，１６によってロックされる。各モジュールユニット１７がねじ１５，１６によってロックされることが欠くことのできないものではないことがわかる。実際上は腕輪又は連鎖の最後のモジュールユニット１７だけが、腕輪が数個の連鎖によって形成された時、１つ又は２つのねじによってロックされそれにより連続するモジュールユニットの全てがロックされるようになることで十分である。
【００２７】
事実、モジュールユニット１７の横の連結片の各対は、先行するモジュールユニット１７の連結片３，４に接合された中間要素９，１０を包囲しこれら中間要素９，１０が次のモジュールユニット１７の中心連結片２と横の連結片３，４との間に入り込んだ瞬間に外れないように保持する。この結果、最後のモジュールユニット１７だけが１つ又は２つのねじ１５，１６によってロックされたならば（単一のねじが中心連結片２に設けられたねじに代えて対向する中間要素９，１０のねじ部分に螺合することができる）、最初と最後のモジュールユニット１７の間に配置された全てのモジュールユニット１７がロックされる。また一例としてねじ１５，１６を２つ又は３つのモジュールユニットのほかに１つのモジュールユニットだけに配置することもできる。
【００２８】
同じ理由で、ねじ１５と１６が、ねじが弛められた瞬間に当接する次のモジュールユニットの両方の横の連結片３，４によって保持されるため、弛むことがないことがわかる。この組立て様式は全体が分解可能であり、またこのため最後のねじが横の連結片３，４の側面の末端部に現われるだけであるため、完全に隠れたものとなる。
【００２９】
もちろん、製造上の理由から、異なった連結片又は押込みもしくはろう付けにより組立てられた数個の部材からの少なくともいくつかを実現することが一般に有利である。すでに述べたように、横のリンク３と４は有利には４つの組立てられた部材で実現される。
【００３０】
図２に示される変更例では、横断通路１４に配設されたねじ部分が浮動ナットを構成する独立の円筒部材１８によって担持される中心連結片２が開示されている。
【００３１】
これは製造を容易にすることを目的とする変更例を提供し、中心連結片２の半分を、所望の幅に切断できる単一の押出し要素とすることができる。
【００３２】
明らかなように、図１と２に関連して記載された実施態様と変更例において、中心連結片は平面図で見たとき矩形の形状を有しモジュールユニット１７の組立て後は各側に配置された中間要素９，１０と共に矩形の合成中心連結片を形成する。中心連結片２はそれ自体が好ましくは中間要素９，１０と比べたとき圧印加工され本来の装飾的外観が得られるようにする。この中心連結片２は図示された形状とは別の形状とすることができ、両方の中間要素９，１０の連続した側面が中心連結片２の形状と一致しまた好ましくは中心連結片と共に中心連結片２の形状として全て矩形の合成連結片を形成する。
【００３３】
もちろん、これらの形状は限定されず、単にこの実施態様で行われる審美的な可能性を示したにすぎない。有利には、それぞれが１つの中心連結片２と２つの中間要素９，１０によって形成された全ての中心連結片は腕輪１の全ての連結片上で同一の幅を有していることが認められる。特に腕時計の腕輪である時は、腕輪の各連鎖の幅は固着部から時計のケースへと留め金に向って漸次減少している。この場合、幅のこの減少は好ましくは横の連結片３，４の幅を減少させることにより得られる。
【００３４】
第１の実施態様の変更例として図３に示されるさらに他の変更例によれば、耐水性の接合体３９がピン５，６の周りに配設されている。この接合体は、ねじ１５と１６の各々に摺動するよう係合しこれらのねじと相互依存するようにされた直径方向のリブ３９ａを有するような形状となっている。この接合体は回動表面を、回動機構の良好な作動にとって有害となる異物の浸入、摩耗又は腐食から保護することができる。また耐水性の接合体を第２の実施態様のねじ頭部３６，３７の底部に配置することもできる。
【００３５】
図４と５によって示される第２の実施態様は第１の実施態様と同一の原理に基づくものであるが、その実態がわずかに異なっている。
【００３６】
この第２の実施態様では、１つの部分だけが図示され１つの列の中心連結片２２と２つの列の横の連結片２３，２４とによって形成された１つの腕輪２１を見ることができる。最後の中心連結片２２と２つの最後の横の連結片２３，２４とが取付けられないで示されている。
【００３７】
桿２５が中心連結片２２の末端に配設された横断方向の通路を貫通する。この桿２５はこの連結片の横の対向側面の外に延びている。第２の溝のみが見られる２つの環状溝２５ａ，２５ｂがこの桿の２つの各末端部と中心連結片２２の各対向側面との間に配置され、桿２５の両方の端部で両頭部２５ｃ，２５ｄが自由に動けるようになっている。
【００３８】
中心連結片２２の対向側面はそれぞれその１つ２６だけが見える１つの中空の空洞を具備している。これらの中空空洞２６は摺動通路を形成し、摺動通路の各々はそれぞれの横の連結片２３，２４の内側側面に固定された中間要素２７，２８の一方を受け入れかつ案内するようになっている。これらの中間要素２７，２８は縦方向に横の連結片２３，２４から千鳥状に配置されている。前の実施態様と同様に、各横の連結片２３，２４を越えて延びる各中間要素２７，２８の部分が各開口２９と３０により貫通されている。
【００３９】
内側ねじが設けられた第２の通路３５が桿２５が貫通する連結片に対向する横断方向の末端の近くで中心連結片２２を貫通する。
【００４０】
横の連結片２３，２４の内側側面はそれぞれ２つの各凹所３１，３２と３３，３４を具備している。凹所３１，３３はそれぞれこれらの各凹所に接近できる１つの開口３１ａ，３３ａを具備している。これらの開口３１ａ，３３ａはそれぞれ直径が頭部２５ｃ，２５ｄの直径より僅かに大きく頭部を各凹所３１，３３に導入できるようにした円形部分を有している。これらの開口３１ａ，３３ａには、その幅が桿２５の環状溝２５ａ，２５ｂの直径より僅かに大きい狹い部分が続いている。これら開口３１ａ，３３ａの狹い部分は各凹所３１，３３に頭部２５ｃ，２５ｄを保持するためのリップ３１ｂ，３３ｂを形成する。第２の凹所３２と３４は円筒形部分を有している。
【００４１】
これらの桿の頭部２５ｃ，２５ｄが開口３１ａと３３ａの円形部分を通って凹所３１と３３に導入された時、中間要素２７，２８は中心連結片２２の凹所２６によって形成された摺動溝に係合する。しかし図４に見られるように、これら中間要素２７，２８はこれら凹所２６の末端からある距離で位置し、それにより開口２９，３０が開口３５に比べて軸線の外にあるようにする。
【００４２】
凹所３１，３３は、中間要素２７，２８の末端部と中心連結片２２の凹所２６の各連続する末端部との間のこれらが摺動自在に係合する距離と同じ距離で、中心連結片２２が横の連結片２３，２４に比べた時縦方向に動くことができるような大きさに構成されている。この結果、３つの組立てられた連結片２２，２３，２４をロックするためには、中心連結片２２を図４に示される位置から図５に示される位置へと摺動させることで十分となる。
【００４３】
この移動により開口２９，３０は中心連結片２２の末端の一方に位置する通路３５の軸線上で整列することができる。同時に、この移動により環状溝２５ａは開口３１ａの狹い部分に係合し、それにより桿２５の頭部２５ｃ，２５ｄが凹所３１ａ，３３ａから外に出ないようにする。したがって全体がこの位置に、ねじの切られた通路２５の両端部で２つのねじ３６，３７をねじ込むことによりロックされ、それにより中心連結片２２が縦方向に動かないよう保持する。これら２つのねじ３６，３７の頭部は、中心連結片２２から横方向に突出する円筒体によって構成され、連結片２２，２３，２４の組立て中対向する横の連結片２３，２４の凹所３２，３４に係合し腕輪２１のモジュールユニット３８の１つを形成するようになっている。この腕輪は、所望の長さが得られるまで上記したような連続するモジュールユニット３８によって長くすることができる。
【００４４】
この第２の実施態様は、これに限定されるものではないが、小さな寸法の腕輪、特に婦人用の時計の腕輪として考えられたものである。したがって、図１の回動ピン５，６をねじ１５と１６の頭部の円筒状凹所１５ａ，１６ａに押込むことによりモジュールユニットの回動を行う代わりに、ねじ３６，３７の円筒形頭部を凹所３２，３４に押込み、第１の実施態様におけるよりも小さな直径のねじを有するものが得られるようにする。
【００４５】
もちろん、第２の実施態様において、通路２５は、ねじを切らず、この２つのねじ３６，３７に代えて、通路２５を通過し連結片２２の両側面から横方向に突出し横の連結片２３，２４の凹所３２，３４の中に入る単一の桿を受け入れるようにすることができる。この桿はねじ３６，３７の作用のように、モジュールユニット３８の組立てられた連結片をロックすることができる。最後のモジュールユニットは、通路２５と開口２９，３０とを通って摺動する単一の桿が次のモジュールユニットの横の連結片２３，２４によって横方向に保持されるものでないため、１つ又は２つのねじでロックするだけでよい。
【００４６】
本発明による腕輪のある機能的な部分は他の部分とは異なる材料とすることができる。これは、特にモジュールユニット１７又は３８をその間にあって回動させるための機構についての場合である。したがって、これらの部分又は表面を例えばセラミック材料で構成することができる。これらの回動表面の１つはまた減摩材料で被覆することができる。このような構造は、表面間の必要な間隙をさらに減少しまた組立体と腕輪の異なった要素間の関節接合部との精度を向上させることになる。
【図面の簡単な説明】
【図１】第１の実施態様によるモジュールユニットを形成する３つの連結片が取付けていない位置で示されている腕輪の一部の部分斜面図である。
【図２】前記第１の実施態様の変更例を示す図１と同様の図である。
【図３】前記第１の実施態様の他の変更例を示す図１と同様の図である。
【図４】第２の実施態様の一部を切断し取付けていない位置の各要素を示す図１と同様な図である。
【図５】ロック位置で各要素を示す図４と同様な図である。
【符号の説明】
１…腕輪
２…中心連結片
３，４…横の連結片
５，６…回動桿
７，８…嵌合表面
９，１０…中間要素
１１，１２…開口
１３…嵌合表面
１４…横断通路
１５，１６…ねじ
１５ａ，１６ａ…凹所
１７…モジュールユニット
１８…円筒部材
２１…腕輪
２２，２３，２４…連結片
２５…桿
２５ａ，２５ｂ…環状溝
２５ｃ，２５ｄ…桿の頭部
２６…中空空洞
２７，２８…中間要素
２９，３０…開口
３１，３２，３３，３４…凹所
３５…通路
３６，３７…ねじ
３８…モジュールユニット
３９…耐水性接合体
【図１】
0004213284.tif 000002
【図２】
0004213284.tif 000003
【図３】
0004213284.tif 000004
【図４】
0004213284.tif 000005
【図５】
0004213284.tif 000006